【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
空気を吹き出す遠心送風機であって、
回転軸（１４）と、
前記回転軸に固定され、前記回転軸とともに回転するターボファン（１８）と、
前記ターボファンを内部に収容するケーシング（１２）とを備え、
前記ターボファンは、
前記回転軸のまわりに配置された複数枚の翼（５２）と、
前記複数枚の翼のそれぞれの前記回転軸の軸方向（ＤＲａ）の一方側に位置する一方側翼端部（５２１）に連結され、空気が吸い込まれるファン吸気孔（５４ａ）が形成された環形状のシュラウドリング（５４）と、
前記複数枚の翼のそれぞれの前記軸方向の他方側に位置する他方側翼端部（５２２）に連結された他方側側板（６０）とを有し、
前記ケーシングは、前記ターボファンに対して前記軸方向の前記一方側に配置された第１ケーシング部材（２２）と、前記ターボファンに対して前記軸方向の前記他方側に配置された第２ケーシング部材（２４）とを有し、
前記第１ケーシング部材は、前記ターボファンの径方向の内側に、空気が吸い込まれるケーシング吸気孔（２２１ａ）が形成されているとともに、前記第１ケーシング部材の軸方向の他方側に、前記複数枚の翼よりも前記径方向の外側に位置する第１形成面（２２４）を有し、
前記第２ケーシング部材は、前記第２ケーシング部材の前記軸方向の一方側に、前記複数枚の翼よりも前記径方向の外側に位置する第２形成面（２４３）を有し、
前記第１形成面と前記第２形成面とは、両者の間に、前記複数枚の翼のうち隣り合う翼の間の翼間流路（５２ａ）から吹き出された空気が流れる吹出流路（１２ｂ）を形成し、
前記第１ケーシング部材と前記第２ケーシング部材の一方のケーシング部材は、第１面（２３１ａ）を有する第１段部（２３１）と、第２面（２３２ａ）を有する第２段部（２３２）と、第３面（２３３ａ）を有する第３段部（２３３）とを有し、
前記第１段部、前記第２段部および前記第３段部は、前記径方向の内側から外側に向かって、前記第１段部、前記第２段部、前記第３段部の順に位置し、
前記第１面、前記第２面および前記第３面のそれぞれは、前記一方のケーシング部材の外面（２２１ｃ）の一部を構成するとともに、互いに前記軸方向での位置が異なっており、
前記第１面よりも前記第２面の方が、前記第１ケーシング部材と前記第２ケーシング部材の他方のケーシング部材側に位置し、
前記第２面よりも前記第３面の方が、前記他方のケーシング部材側に位置し、
前記第１ケーシング部材は、前記一方のケーシング部材を構成しており、
前記１ケーシング部材の前記第１面（２３１ａ）、前記第２面（２３２ａ）および前記第３面（２３３ａ）のそれぞれは、前記第１ケーシング部材における前記軸方向の前記一方側の表面（２２１ｃ）の一部を構成しており、
前記第１ケーシング部材の前記第１面よりも前記第２面の方が、前記第２ケーシング部材側に位置し、
前記第１ケーシング部材の前記第２面よりも前記第３面の方が、前記第２ケーシング部材側に位置し、
前記第１ケーシング部材は、前記径方向の内側に、前記ケーシング吸気孔を形成するケーシング内周端部（２２１ｂ）を有し、
前記シュラウドリングは、前記径方向の外側に、シュラウド外周端部（５４２）を有し、
前記第１ケーシング部材の前記第１段部（２３１）は、前記第１ケーシング部材のうち前記ケーシング内周端部を含む部分に設けられ、
前記第１ケーシング部材の前記第２段部（２３２）は、前記第１ケーシング部材のうち前記軸方向で前記シュラウド外周端部に対向する部分に設けられ、
前記第１ケーシング部材の前記第３段部（２３３）は、前記第１ケーシング部材のうち前記第１形成面が形成されている部分に設けられ、
前記第１ケーシング部材の前記第１段部と前記シュラウドリングとは、両者の間に隙間（Ｇ１）を形成しており、
前記隙間は、前記径方向での前記第１段部と前記シュラウドリングとの間に形成された径方向隙間（Ｇ１１）と、前記軸方向での前記第１段部と前記シュラウドリングとの間に形成された軸方向隙間（Ｇ１２）とを含み、
前記軸方向隙間は、前記径方向隙間に対して前記径方向の内側に位置し、
前記径方向隙間における前記シュラウドリングと前記第１段部との最短距離である前記径方向隙間の最小の隙間寸法（Ｄ１１）は、前記軸方向隙間における前記シュラウドリングと前記第１段部との最短距離である前記軸方向隙間の最小の隙間寸法（Ｄ１２）よりも小さい、遠心送風機。
【請求項２】
前記第１ケーシング部材の前記第３面は、前記回転軸を中心とする円周方向に並ぶ複数の凹部（２３３ｂ）を有する請求項１に記載の遠心送風機。
【請求項３】
前記第１ケーシング部材の前記第１段部と前記シュラウドリングとの一方における前記隙間を形成する一方側表面（２３１ｂ）は、前記回転軸の位置を中心位置として円周状に配置された凹部（２２６）を有し、
前記第１ケーシング部材の前記第１段部と前記シュラウドリングとの他方における前記隙間を形成する他方側表面（５４４）は、前記他方側表面のうち前記凹部に対向する領域の少なくとも一部に設けられた凸部（５４５、５４５ｂ）を有し、
前記凹部の内部に前記凸部が位置し、
前記径方向隙間を第１径方向隙間とし、
前記第１径方向隙間は、前記凸部よりも前記径方向の外側で、前記径方向での前記凸部と前記凹部との間に形成され、
前記軸方向隙間は、前記軸方向での前記凸部と前記凹部との間に形成され、
前記隙間は、前記凸部よりも前記径方向の内側で、前記径方向での前記凸部と前記凹部との間に形成された第２径方向隙間（Ｇ１３）を含み、
前記第２径方向隙間における前記シュラウドリングと前記第１段部との最短距離である前記第２径方向隙間の最小の隙間寸法（Ｄ１３）は、前記軸方向隙間の最小の隙間寸法よりも小さい請求項１または２に記載の遠心送風機。
【請求項４】
前記第１ケーシング部材の前記第１段部における前記隙間を形成する表面（２３１ｂ）が前記一方側表面を構成し、
前記シュラウドリングにおける前記隙間を形成する表面（５４４）が前記他方側表面を構成し、
前記凸部の頂部（５４５ａ）は、前記ケーシング内周端部のうち前記軸方向で最も前記他方側に位置する他方側端部（２２１ｂ１）よりも、前記軸方向の前記一方側に位置する請求項３に記載の遠心送風機。
【請求項５】
前記遠心送風機は、
前記回転軸が圧入されている回転軸ハウジング（１５）と、
内輪と外輪とを有し、前記内輪に前記回転軸が圧入されているとともに、前記回転軸ハウジングに対して前記軸方向に並んで配置されているベアリング（２８）と、
前記外輪が圧入されているベアリングハウジング（２９）と、を備え、
前記ターボファンは、前記他方側側板の前記径方向での内側に連結されているとともに、前記回転軸ハウジングを介して前記回転軸に固定されているファンボス部（５６）を有し、
前記ファンボス部と前記回転軸ハウジングとの当接部と前記ベアリングとは、前記軸方向に並んで配置されている請求項１ないし４のいずれか１つに記載の遠心送風機。
【手続補正２】
【補正対象書類名】明細書
【補正対象項目名】０００７
【補正方法】変更
【補正の内容】
【０００７】
上記目的を達成するため、請求項１に記載の発明では、
空気を吹き出す遠心送風機は、
回転軸（１４）と、
回転軸に固定され、回転軸とともに回転するターボファン（１８）と、
ターボファンを内部に収容するケーシング（１２）とを備え、
ターボファンは、
回転軸のまわりに配置された複数枚の翼（５２）と、
複数枚の翼のそれぞれの回転軸の軸方向（ＤＲａ）の一方側に位置する一方側翼端部（５２１）に連結され、空気が吸い込まれるファン吸気孔（５４ａ）が形成された環形状のシュラウドリング（５４）と、
複数枚の翼のそれぞれの軸方向の他方側に位置する他方側翼端部（５２２）に連結された他方側側板（６０）とを有し、
ケーシングは、ターボファンに対して軸方向の一方側に配置された第１ケーシング部材（２２）と、ターボファンに対して軸方向の他方側に配置された第２ケーシング部材（２４）とを有し、
第１ケーシング部材は、ターボファンの径方向の内側に、空気が吸い込まれるケーシング吸気孔（２２１ａ）が形成されているとともに、第１ケーシング部材の軸方向の他方側に、複数枚の翼よりも径方向の外側に位置する第１形成面（２２４）を有し、
第２ケーシング部材は、第２ケーシング部材の軸方向の一方側に、複数枚の翼よりも径方向の外側に位置する第２形成面（２４３）を有し、
第１形成面と第２形成面とは、両者の間に、複数枚の翼のうち隣り合う翼の間の翼間流路（５２ａ）から吹き出された空気が流れる吹出流路（１２ｂ）を形成し、
第１ケーシング部材と第２ケーシング部材の一方のケーシング部材は、第１面（２３１ａ）を有する第１段部（２３１）と、第２面（２３２ａ）を有する第２段部（２３２）と、第３面（２３３ａ）を有する第３段部（２３３）とを有し、
第１段部、第２段部および第３段部は、径方向の内側から外側に向かって、第１段部、第２段部、第３段部の順に位置し、
第１面、第２面および第３面のそれぞれは、一方のケーシング部材の外面（２２１ｃ）の一部を構成するとともに、互いに軸方向での位置が異なっており、
第１面よりも第２面の方が、第１ケーシング部材と第２ケーシング部材の他方のケーシング部材側に位置し、
第２面よりも第３面の方が、他方のケーシング部材側に位置し、
第１ケーシング部材は、一方のケーシング部材を構成しており、
１ケーシング部材の第１面（２３１ａ）、第２面（２３２ａ）および第３面（２３３ａ）のそれぞれは、第１ケーシング部材における軸方向の一方側の表面（２２１ｃ）の一部を構成しており、
第１ケーシング部材の第１面よりも第２面の方が、第２ケーシング部材側に位置し、
第１ケーシング部材の第２面よりも第３面の方が、第２ケーシング部材側に位置し、
第１ケーシング部材は、径方向の内側に、ケーシング吸気孔を形成するケーシング内周端部（２２１ｂ）を有し、
シュラウドリングは、径方向の外側に、シュラウド外周端部（５４２）を有し、
第１ケーシング部材の第１段部（２３１）は、第１ケーシング部材のうちケーシング内周端部を含む部分に設けられ、
第１ケーシング部材の第２段部（２３２）は、第１ケーシング部材のうち軸方向でシュラウド外周端部に対向する部分に設けられ、
第１ケーシング部材の第３段部（２３３）は、第１ケーシング部材のうち第１形成面が形成されている部分に設けられ、
第１ケーシング部材の第１段部とシュラウドリングとは、両者の間に隙間（Ｇ１）を形成しており、
隙間は、径方向での第１段部とシュラウドリングとの間に形成された径方向隙間（Ｇ１１）と、軸方向での第１段部とシュラウドリングとの間に形成された軸方向隙間（Ｇ１２）とを含み、
軸方向隙間は、径方向隙間に対して径方向の内側に位置し、
径方向隙間におけるシュラウドリングと第１段部との最短距離である径方向隙間の最小の隙間寸法（Ｄ１１）は、軸方向隙間におけるシュラウドリングと第１段部との最短距離である軸方向隙間の最小の隙間寸法（Ｄ１２）よりも小さい。